(57)【要約】【課題】健康改善の努力を行なわせしめる強い動機付けを与え、健康的な生活習慣の継続を促すとともに、慈善活動を効率的かつ効果的に行うことができる健康増進支援システムを提供する。【解決手段】ユーザの活動量を計測する活動量計測装置２０と、ユーザの生体の状態を検出する生体情報検出装置３０と、活動量計測装置２０または生体情報検出装置３０から健康情報を取得して、ネットワーク４０を介してサーバ装置５０に送信するユーザ端末装置１０と、受信した健康情報に基づいてユーザの健康改善状況を判定し、その判定結果に応じてユーザの寄付への貢献度を決定するサーバ装置５０とから構成され、サーバ装置５０は、決定した貢献度を示す情報をネットワーク４０を介してユーザ端末装置１０に送信し、ユーザ端末装置１０は、受信した貢献度を示す情報を表示装置を介してユーザに提示する。【選択図】  図１
2004318534.tif 000002
【特許請求の範囲】
【請求項１】
健康増進を図るための活動の成果に基づいて、寄付の提供を申し出た寄付提供者から寄付の提供を受ける寄付先に寄付される寄付内容を決定するサーバ装置と、前記サーバ装置とネットワークを介して接続されたユーザ端末装置とから構成される健康増進支援システムであって、
前記ユーザ端末装置は、
ユーザの活動量を示す活動量情報またはユーザの生体に関する生体情報を取得する健康情報取得手段と、
前記取得された活動量情報または生体情報を前記サーバ装置に送信する健康情報送信手段とを備え、
前記サーバ装置は、
前記ユーザ端末装置から前記活動量情報または生体情報を受信する健康情報受信手段と、
前記受信した活動量情報または前記受信した生体情報の変化値に基づいて、前記ユーザの健康改善状況を判定する健康情報判定手段と、
前記判定された健康改善状況に基づいて、前記ユーザの前記寄付における貢献度を決定する寄付貢献度決定手段とを備える
ことを特徴とする健康増進支援システム。
【請求項２】
前記サーバ装置は、さらに、
前記決定された貢献度を示す情報を含む寄付報告情報を前記ユーザ端末装置に送信する寄付報告送信手段を備え、
前記ユーザ端末装置は、さらに、
前記サーバ装置から前記寄付報告情報を受信し、これを前記ユーザに提示する寄付報告提示手段を備える
ことを特徴とする請求項１記載の健康増進支援システム。
【請求項３】
前記サーバ装置は、さらに、
前記寄付の提供を申し出た者を示す寄付提供者情報を格納するための提供者情報記憶手段を備え、
前記寄付報告送信手段は、
前記寄付提供者情報を含む前記寄付報告情報を送信する
ことを特徴とする請求項２記載の健康増進支援システム。
【請求項４】
前記サーバ装置は、さらに、
健康増進を図るための活動に対する助言となるメッセージを格納するための健康アドバイス記憶手段と、
前記判定された健康改善状況に基づいて、前記ユーザの健康改善状況に適した前記メッセージを選択する健康アドバイス選択手段とを備え、
前記寄付報告情報送信手段は、
前記選択されたメッセージを含む前記寄付報告情報を送信する
ことを特徴とする請求項２または３記載の健康増進支援システム。
【請求項５】
前記健康増進支援システムは、さらに、
ユーザの活動量を計測する活動量計測装置から構成され、
前記活動量計測装置は、
ユーザの活動量を計測する活動量計測手段と、
前記計測した活動量を示す活動量情報を出力する活動量情報出力手段とを備え、
前記健康情報取得手段は、
前記活動量計測装置から前記活動量情報を取得する
ことを特徴とする請求項１〜４のいずれか１項に記載の健康増進支援システム。
【請求項６】
前記活動量情報は、
ユーザの歩数を示す情報が含まれている
ことを特徴とする請求項１〜５のいずれか１項に記載の健康増進支援システム。
【請求項７】
前記健康増進支援システムは、さらに、
ユーザの生体の状態を検出する生体状態検出装置から構成され、
前記生体状態検出装置は、
ユーザの生体の状態を検出する生体状態検出手段と、
前記検出した生体の状態を示す生体情報を出力する生体情報出力手段とを備え、
前記健康情報取得手段は、
前記生体状態検出装置から前記生体情報を取得する
ことを特徴とする請求項１〜６のいずれか１項に記載の健康増進支援システム。
【請求項８】
前記生体情報は、
ユーザの体重、血圧、血糖値、体脂肪率、コレステロール値または尿成分のうち少なくとも１つを示す情報が含まれている
ことを特徴とする請求項１〜７のいずれか１項に記載の健康増進支援システム。
【請求項９】
前記健康増進支援システムは、さらに、
複数のユーザ端末装置から構成され、
前記ユーザ端末装置は、さらに、
ユーザの個人情報の入力を受け付ける個人情報入力手段と、
前記入力された個人情報を前記サーバ装置に送信する個人情報送信手段とを備え、
前記サーバ装置は、さらに、
前記ユーザ端末装置から前記個人情報を受信する個人情報受信手段と、
前記受信した個人情報に基づいてユーザを識別するためのユーザＩＤを発行するユーザＩＤ付与手段と、
前記発行されたユーザＩＤと前記個人情報とを格納するための個人情報記憶手段と、
前記発行されたユーザＩＤをユーザ端末装置に送信するユーザＩＤ送信手段とを備え、
前記健康情報送信手段は、
前記サーバ装置から受信したユーザＩＤを含む前記活動量情報または生体情報を送信し、
前記健康情報受信手段は、
前記ユーザＩＤに基づいて、いずれのユーザに関する活動量情報または生体情報であるかを判断し、
前記健康情報判定手段は、
前記判断に基づいて、ユーザの健康改善状況を判定する
ことを特徴とする請求項１〜８のいずれか１項に記載の健康増進支援システム。
【請求項１０】
前記サーバ装置は、さらに、
前記寄付貢献度決定手段が決定した前記寄付における貢献度をユーザ毎に集計して前記貢献度の順位付けを行なう貢献度順位付け手段を備え、
前記寄付報告送信手段は、
前記行なわれた順位付けの結果を示す情報を含む寄付報告情報を前記ユーザ端末装置に送信する
ことを特徴とする請求項２〜９のいずれか１項に記載の健康増進支援システム。
【請求項１１】
前記寄付貢献度決定手段は、
前記個人情報記憶手段に格納されているユーザの前記個人情報に応じて、前記ユーザの前記寄付における貢献度を変更する
ことを特徴とする請求項９または１０記載の健康増進支援システム。
【請求項１２】
前記サーバ装置は、さらに、
寄付の提供を申し出た寄付提供者が複数存在する場合に、前記複数の寄付提供者のうち一の寄付提供者を選択するための提供者選択情報をユーザ端末装置を介してユーザに提示する提供者選択情報提示手段と、
前記ユーザ端末装置を介して前記ユーザから前記一の寄付提供者の選択を受け付ける提供者選択受付手段とを備え、
前記寄付貢献度決定手段は、
前記選択された前記寄付提供者にかかる寄付について前記貢献度を決定する
ことを特徴とする請求項１〜１１のいずれか１項に記載の健康増進支援システム。
【請求項１３】
前記サーバ装置は、さらに、
寄付の提供を受ける寄付先が複数存在する場合に、前記複数の寄付先のうち一の寄付先を選択するための寄付先選択情報をユーザ端末装置を介してユーザに提示する寄付先選択情報提示手段と、
前記ユーザ端末装置を介して前記ユーザから前記一の寄付先の選択を受け付ける寄付先選択受付手段とを備え、
前記寄付貢献度決定手段は、
前記選択された前記寄付先にかかる寄付について前記貢献度を決定する
ことを特徴とする請求項１〜１２のいずれか１項に記載の健康増進支援システム。
【請求項１４】
前記サーバ装置は、さらに、
提供される寄付の内容が複数存在する場合に、前記複数の寄付内容のうち一の寄付内容を選択するための寄付内容選択情報をユーザ端末装置を介してユーザに提示する寄付内容選択情報提示手段と、
前記ユーザ端末装置を介して前記ユーザから前記一の寄付内容の選択を受け付ける寄付内容選択受付手段とを備え、
前記寄付貢献度決定手段は、
前記選択された前記寄付内容にかかる寄付について前記貢献度を決定する
ことを特徴とする請求項１〜１３のいずれか１項に記載の健康増進支援システム。
【請求項１５】
前記サーバ装置は、さらに、
前記寄付提供者と前記寄付先と前記寄付内容との組み合わせである寄付イベントが複数存在する場合に、前記複数の寄付イベントのうち一の寄付イベントを選択するための寄付イベント選択情報をユーザ端末装置を介してユーザに提示する寄付イベント選択提供情報提示手段と、
前記ユーザ端末装置を介して前記ユーザから前記一の寄付イベントの選択を受け付ける寄付イベント選択受付手段とを備え、
前記寄付貢献度決定手段は、
前記選択された前記寄付イベントにかかる寄付について前記貢献度を決定することを特徴とする請求項１〜１１のいずれか１項に記載の健康増進支援システム。
【請求項１６】
健康増進を図るための活動の成果に基づいて、寄付の提供を申し出た寄付提供者から寄付の提供を受ける寄付先に寄付される寄付内容を決定するサーバ装置と、前記サーバ装置とネットワークを介して接続されたユーザ端末装置とから構成される健康増進支援システムにおけるサーバ装置であって、
前記サーバ装置は、
前記サーバ装置とネットワークを介して接続されたユーザ端末装置から、ユーザの活動量を示す活動量情報またはユーザの生体に関する情報を受信する健康情報受信手段と、
前記受信した活動量情報または前記受信した生体情報の変化値に基づいて、前記ユーザの健康改善状況を判定する健康情報判定手段と、
前記判定された健康改善状況に基づいて、前記ユーザの前記寄付における貢献度を決定する寄付貢献度決定手段とを備える
ことを特徴とするサーバ装置。
【請求項１７】
前記サーバ装置は、さらに、
前記決定された貢献度を示す情報を含む寄付報告情報を前記ユーザ端末装置に送信する寄付報告送信手段を備える
ことを特徴とする請求項１６記載のサーバ装置。
【請求項１８】
前記サーバ装置は、さらに、
前記寄付の提供を申し出た者を示す寄付提供者情報を格納するための提供者情報記憶手段を備え、
前記寄付報告送信手段は、
前記寄付提供者情報を含む前記寄付報告情報を送信する
ことを特徴とする請求項１７記載のサーバ装置。
【請求項１９】
前記サーバ装置は、さらに、
健康増進を図るための活動に対する助言となるメッセージを格納するための健康アドバイス記憶手段と、
前記判定された健康改善状況に基づいて、前記ユーザの健康改善状況に適した前記メッセージを選択する健康アドバイス選択手段とを備え、
前記寄付報告情報送信手段は、
前記選択されたメッセージを含む前記寄付報告情報を送信する
ことを特徴とする請求項１７または１８記載のサーバ装置。
【請求項２０】
健康増進を図るための活動の成果に基づいて、寄付の提供を申し出た寄付提供者から寄付の提供を受ける寄付先に寄付される寄付内容を決定するサーバ装置と、前記サーバ装置とネットワークを介して接続されたユーザ端末装置とから構成される健康増進支援システムにおけるユーザ端末装置であって、
前記ユーザ端末装置は、
ユーザの活動量を示す活動量情報またはユーザの生体に関する生体情報を取得する健康情報取得手段と、
前記取得された活動量情報または生体情報を前記サーバ装置に送信する健康情報送信手段と、
前記サーバ装置からユーザの前記寄付における貢献度を示す情報を含む寄付報告情報を受信し、これを前記ユーザに提示する寄付報告提示手段とを備える
ことを特徴とするユーザ端末装置。
【請求項２１】
前記寄付報告提示手段は、
前記サーバ装置から前記寄付の提供を申し出た寄付提供者を示す寄付提供者情報を含む寄付報告情報を受信し、これを前記ユーザに提示する
ことを特徴とする請求項２０記載のユーザ端末装置。
【請求項２２】
前記寄付報告提示手段は、
前記サーバ装置からユーザの健康改善状況に応じて選択された健康増進を図るための活動に対する助言となるメッセージを含む寄付報告情報を受信し、これを前記ユーザに提示する
ことを特徴とする請求項２１または２２記載のユーザ端末装置。
【請求項２３】
前記健康情報取得手段は、
ユーザの活動量を計測する活動量計測装置から前記活動量情報を取得する
ことを特徴とする請求項２０〜２２のいずれか１項に記載のユーザ端末装置。
【請求項２４】
前記健康情報取得手段は、
ユーザの生体の状態を検出する生体状態検出装置から前記生体情報を取得することを特徴とする請求項２０〜２３のいずれか１項に記載のユーザ端末装置。
【請求項２５】
健康増進を図るための活動の成果に基づいて、寄付の提供を申し出た寄付提供者から寄付の提供を受ける寄付先に寄付される寄付内容を決定するサーバ装置と、前記サーバ装置とネットワークを介して接続されたユーザ端末装置とから構成されるシステムにおける健康増進支援方法であって、
前記ユーザ端末装置において、
ユーザの活動量を示す活動量情報またはユーザの生体に関する生体情報を取得する健康情報取得ステップと、
前記健康情報取得ステップにおいて取得された活動量情報または生体情報を前記サーバ装置に送信する健康情報送信ステップとを含み、
前記サーバ装置において、
前記健康情報送信ステップにおいて送信された前記活動量情報または生体情報を受信する健康情報受信ステップと、
前記健康情報受信ステップにおいて受信した活動量情報または前記受信した生体情報の変化値に基づいて、前記ユーザの健康改善状況を判定する健康情報判定ステップと、
前記健康情報判定ステップにおいて判定された健康改善状況に基づいて、前記ユーザの前記寄付における貢献度を決定する寄付貢献度決定ステップとを含む
ことを特徴とする健康増進支援方法。
【請求項２６】
前記サーバ装置において、さらに、
前記寄付貢献度決定ステップにおいて決定された貢献度を示す情報を含む寄付報告情報を前記ユーザ端末装置に送信する寄付報告送信ステップを含み、
前記ユーザ端末装置において、さらに、
前記寄付報告送信ステップにおいて送信された前記寄付報告情報を受信し、これを前記ユーザに提示する寄付報告提示ステップを含む
ことを特徴とする請求項２５記載の健康増進支援方法。
【請求項２７】
前記サーバ装置において、さらに、
前記寄付の提供を申し出た者を示す寄付提供者情報を保持する提供者情報保持ステップを含み、
前記寄付報告送信ステップにおいて、
前記提供者情報保持ステップにおいて保持されている寄付提供者情報を読み出し、当該寄付提供者情報を含む前記寄付報告情報を送信する
ことを特徴とする請求項２６記載の健康増進支援方法。
【請求項２８】
前記サーバ装置において、さらに、
健康増進を図るための活動に対する助言となるメッセージを保持する健康アドバイス保持ステップと、
前記健康情報判定ステップにおいて判定された健康改善状況に基づいて、前記ユーザの健康改善状況に適した前記メッセージを、前記健康アドバイス保持ステップにおいて保持されているメッセージの中から選択して読み出す健康アドバイス選択ステップとを含み、
前記寄付報告情報送信ステップにおいて、
前記健康アドバイス選択ステップにおいて選択されたメッセージを含む前記寄付報告情報を送信する
ことを特徴とする請求項２６または２７記載の健康増進支援方法。
【請求項２９】
健康増進を図るための活動の成果に基づいて、寄付の提供を申し出た寄付提供者から寄付の提供を受ける寄付先に寄付される寄付内容を決定するサーバ装置と、前記サーバ装置とネットワークを介して接続されたユーザ端末装置とから構成されるシステムにおけるサーバ装置のためのプログラムであって、
請求項２５〜２８のいずれか１項に記載の前記サーバ装置におけるステップを前記サーバ装置に実行させる
ことを特徴とするプログラム。
【請求項３０】
健康増進を図るための活動の成果に基づいて、寄付の提供を申し出た寄付提供者から寄付の提供を受ける寄付先に寄付される寄付内容を決定するサーバ装置と、前記サーバ装置とネットワークを介して接続されたユーザ端末装置とから構成されるシステムにおけるユーザ端末装置のためのプログラムであって、
請求項２５または２６に記載の前記ユーザ端末装置におけるステップを前記ユーザ端末装置に実行させる
ことを特徴とするプログラム。
【請求項３１】
健康増進を図るための活動の成果に基づいて、寄付の提供を申し出た寄付提供者から寄付の提供を受ける寄付先に寄付される寄付内容を決定する健康増進支援装置であって、
ユーザの活動量を示す活動量情報またはユーザの生体に関する生体情報を取得する健康情報取得手段と、
前記取得された活動量または前記取得された生体情報の変化値に基づいて、前記ユーザの健康改善状況を判定する健康情報判定手段と、
前記判定された健康改善状況に基づいて、前記ユーザの前記寄付における貢献度を決定する寄付貢献度決定手段とを備える
ことを特徴とする健康増進支援装置。
【請求項３２】
前記健康増進支援装置は、さらに、
前記決定された貢献度を示す情報をユーザに提示する寄付報告提示手段を備える
ことを特徴とする請求項３１記載の健康増進支援装置。
【発明の詳細な説明】
【０００１】
【発明の属する技術の分野】
本発明は、健康の増進を目的として継続的な生活習慣を改善するための活動を支援するサービスシステムに関する。
【０００２】
【従来の技術】
私企業や公益団体等の各種団体は、従業員や組合員あるいは市民等の構成員の健康増進を支援するための様々な活動を行なっている。また、これらの各種団体は、寄付やボランティア活動のような社会貢献および慈善事業に積極的に取り組んでいる。
【０００３】
これら各種団体による健康増進を支援する活動および社会貢献への取り組みに関する代表的なものに、例えば、「チャリティウォーキング」等と称されるイベントがある。このイベントは、イベント参加者を募って、イベント協賛企業や団体等から寄付金を集め、また、場合によっては参加者からイベント参加料を集金して、集めた金員の一部をイベント開催費用やイベント運営費用に充当し、残りの金員を募金団体に寄付するものである。
【０００４】
この寄付の結果はイベント参加者に通知され、イベントを通じて、イベント参加者は、参加者全員で日常の運動不足を解消するためウォーキングを行なうことで自らの健康増進を図ることができるとともに、人の役に立つことができたという満足感を得ることができる。
【０００５】
そして、企業等にとっては、イベントへの協賛によって社会貢献や慈善事業への積極的な取り組みをアピールすることができるので、企業イメージを高める等の広告宣伝の効果を期待することができる。また、企業等の各種団体に求められる社会的責務や役割を果たすこともでき、各種団体の活動にとって有益となる。さらに、イベント参加者の健康増進が図られることで、例えば、保険会社や健康保険組合等にとっては、保険金の支払いリスクが抑えられる等の実質的なメリットがもたらされることもある。
【０００６】
一方、従来において、保険契約者の生活習慣を反映して保険内容を変更する保険契約更改システムが開示されている。
【０００７】
図６は、従来技術の保険契約更改システムの全体構成を示す図である。
【０００８】
この保険契約更改システムは、携帯電話機９０１、管理サーバ９０５およびデータベース９０６等から構成され、歩数計を内蔵した携帯電話機９０１から、基地局９０２、電話回線網９０３およびネットワーク９０４を介して所定期間毎の歩数を管理サーバ９０５に送信する。管理サーバ９０５は、これを受信して１２ヶ月間の各月における１日当たりの歩数を契約者の活動データとして取得し、この活動データに基づき、データベース９０６に格納されている契約更新に関する契約者ファイルの内容を書き換える。このように従来における保険契約更改システムによれば、保険契約者の生活習慣を反映し得る保険システムを構築することができる（例えば、特許文献１参照。）。
【０００９】
【特許文献１】
特開２００２−１０９２１４号公報（明細書、図１）
【００１０】
【発明が解決しようとする課題】
しかしながら、真に健康増進を図るためには継続的に生活習慣を改善していくことが必要不可欠であるところ、上記従来のイベント参加型の健康増進支援活動では、一時的な運動不足解消の場を提供するに留まり、継続的な生活習慣改善を支援することができないという問題がある。また、定期的にイベントを開催することとしても、イベント参加意志はあるが地理的かつ時間的制約から参加を断念しなければならない場合もあり、誰でも参加することができるイベントを開催することは、現実的に困難である。さらに、イベント開催およびその運営に費用がかかり、スポンサーからの協力金や参加者からのイベント参加料のうち一部しか寄付に充当することができないというコスト面の問題もある。
【００１１】
一方、上記従来の保険契約更改システムでは、保険の契約者しか利用できないので、参加者を限定することになり、また、保険の契約内容が見直されて自分の保険内容が変わるという理由だけでは、長年の生活習慣を改善するに足る動機付けにならないことが多く、継続的な生活習慣改善を支援することは困難である。
【００１２】
そこで、本発明は、かかる問題点に鑑みなされたものであり、健康改善の努力を行なわせしめる強い動機付けを与え、健康的な生活習慣の継続を促すとともに、慈善活動を効率的かつ効果的に行うことができる健康増進支援システムを提供することを目的とする。
【００１３】
【課題を解決するための手段】
上記目的を達成するために、本発明に係る健康増進支援システムは、健康増進を図るための活動の成果に基づいて、寄付の提供を申し出た寄付提供者から寄付の提供を受ける寄付先に寄付される寄付内容を決定するサーバ装置と、前記サーバ装置とネットワークを介して接続されたユーザ端末装置とから構成される健康増進支援システムであって、前記ユーザ端末装置は、ユーザの活動量を示す活動量情報またはユーザの生体に関する生体情報を取得する健康情報取得手段と、前記取得された活動量情報または生体情報を前記サーバ装置に送信する健康情報送信手段とを備え、前記サーバ装置は、前記ユーザ端末装置から前記活動量情報または生体情報を受信する健康情報受信手段と、前記受信した活動量情報または前記受信した生体情報の変化値に基づいて、前記ユーザの健康改善状況を判定する健康情報判定手段と、前記判定された健康改善状況に基づいて、前記ユーザの前記寄付における貢献度を決定する寄付貢献度決定手段とを備えることを特徴とする。
【００１４】
ここで、前記サーバ装置は、さらに、前記決定された貢献度を示す情報を含む寄付報告情報を前記ユーザ端末装置に送信する寄付報告送信手段を備え、前記ユーザ端末装置は、さらに、前記サーバ装置から前記寄付報告情報を受信し、これを前記ユーザに提示する寄付報告提示手段を備える。これによって、ユーザの健康増進のための活動成果に基づいて寄付内容を決定し、ユーザに寄付への貢献度を提示するので、自らの健康改善の努力が自分のためだけでなく社会や他の人のためにもなるという強い動機付けを与えることができ、日常の運動量を増やす等生活習慣を改善する励みとなり、ユーザの健康増進を図るための活動を支援することができる。
【００１５】
ここで、前記サーバ装置は、さらに、前記寄付の提供を申し出た者を示す寄付提供者情報を格納するための提供者情報記憶手段を備え、前記寄付報告送信手段は、前記寄付提供者情報を含む前記寄付報告情報を送信するとしてもよい。これによって、企業等のスポンサー（寄付提供者）に関する情報が利用者に提示されるので、企業等の寄付提供者は、健康増進を図ろうとしている利用者に対して効果的に宣伝活動を行なうことができるとともに、慈善活動を通じて企業の社会的責務等を果たすことができる。
【００１６】
また、前記サーバ装置は、さらに、健康増進を図るための活動に対する助言となるメッセージを格納するための健康アドバイス記憶手段と、前記判定された健康改善状況に基づいて、前記ユーザの健康改善状況に適した前記メッセージを選択する健康アドバイス選択手段とを備え、前記寄付報告情報送信手段は、前記選択されたメッセージを含む前記寄付報告情報を送信するのが好ましい。これによって、ユーザの健康増進活動の成果に応じて適切なアドバイスをユーザに提示することができるので、よりユーザの活動状況に即した支援を実現することができる。
【００１７】
なお、本発明は、このような健康増進支援システムとして実現することができるだけでなく、このような健康増進支援システムが備える特徴的な手段をステップとする健康増進支援方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【００１８】
【発明の実施の形態】
以下、本発明の実施の形態に係る健康増進支援システムについて、図面を参照しながら説明する。
（実施の形態１）
まず、本発明の実施の形態１に係る健康増進支援システムについて説明する。
【００１９】
図１は、本実施の形態１に係る健康増進支援システムの全体構成を示す図である。
【００２０】
この健康増進支援システムは、ユーザが自らの健康のために行なう努力の成果を寄付への貢献度に反映させて、ユーザに健康的な生活習慣の継続に対する強い動機付けを与えることにより、ユーザの健康増進を支援するサービスを提供するシステムであり、携帯電話機、パーソナルコンピュータまたはＰＤＡ（Ｐｅｒｓｏｎａｌ  Ｄｉｇｉｔａｌ  Ａｓｓｉｓｔａｎｃｅ）等のユーザ端末装置１０と、歩数計等の活動量計測装置２０と、体重計等の生体情報検出装置３０と、ネットワーク通信網４０と、サーバ装置５０とから構成される。
【００２１】
なお、ここにいうサービスとは、上記従来のような、ユーザを一堂に会してウォーキングを行なうイベントと異なり、オンラインでイベントへの参加登録をして、ユーザ各自でウォーキングを行ない、ウォーキングの成果や寄付金の報告等をオンラインで送受信するイベントを開催することであり、本明細書においては、このようなイベントを上記従来におけるイベントと区別するため、Ｗｅｂイベントと呼ぶことにする。
【００２２】
ユーザ端末装置１０は、ユーザが本システムのサービスの提供を受けるために用いる携帯電話機、パーソナルコンピュータまたはＰＤＡ等の個人用情報端末装置である。このユーザ端末装置１０は、活動量計測装置２０からユーザの活動量に関する情報や、生体情報検出装置３０からユーザの生体に関する情報を取得し、取得した情報をネットワーク通信網４０を介して、サーバ装置５０に送信する機能を有する。
【００２３】
また、サーバ装置５０から寄付金の報告等に関する情報を受信して表示する機能を有する。なお、ここで、ユーザ端末装置１０からネットワーク通信網４０を介してサーバ装置５０へ情報を送信する手段としては、例えば、電子メールで情報を送信することや、ＣＧＩ（Ｃｏｍｍｏｎ  Ｇａｔｅｗａｙ  Ｉｎｔｅｒｆａｃｅ）を実装したサーバプログラムが格納されているサーバ装置５０のＷｅｂページにアクセスし、ユーザ端末装置１０のブラウザを介して情報を送信すること等を例示することができる。
【００２４】
活動量計測装置２０は、ユーザの活動量に関する情報を計測する装置であり、例えば、歩数計や心拍計等によって実現される。ここで、ユーザの活動量に関する情報とは、歩数や心拍数等のユーザの活動量を示す情報（以下、「活動量情報」という。）であり、活動量計測装置２０は、活動量情報を計測してユーザ端末装置１０に出力する機能を有する。
【００２５】
生体情報検出装置３０は、ユーザの生体に関する情報を検出する装置であり、例えば、血圧計や血糖値測定器等によって実現される。ここで、ユーザの生体に関する情報とは、血圧、血糖値、尿成分、体脂肪率、コレステロール値または骨密度等、ユーザの健康状態を客観的に評価することができる生体の状態を示す情報（以下、「生体情報」という。）であり、生体情報検出装置３０は、生体情報を検出してユーザ端末装置１０に出力する機能を有する。
【００２６】
ネットワーク通信網４０は、ユーザ端末装置１０とサーバ装置５０との通信経路となる電話回線網やケーブル回線網等の情報通信網であり、有線または無線の別を問わず、また、本明細書においては広く携帯電話の基地局やＩＳＰ（Ｉｎｔｅｒｎｅｔ  Ｓｅｒｖｉｃｅ  Ｐｒｏｖｉｄｅｒ）等の中継局を含むものとする。
【００２７】
サーバ装置５０は、ユーザに本システムのサービスを提供するサーバやワークステーション等である。このサーバ装置５０は、ユーザ端末装置１０から送信される活動量情報や生体情報（以下、これら２つを合せて「健康情報」という。）を受信して、ユーザの活動量や生体情報から健康状態を判定し、その判定結果に基づいて寄付金を算出する機能を有する。また、算出した寄付金額の報告やユーザの健康状態に対するアドバイス等の情報をユーザ端末装置１０に送信する機能を有する。なお、ここで、サーバ装置５０からネットワーク通信網４０を介してユーザ端末装置１０へ情報を送信する手段としては、電子メールで情報を送信すること等を例示することができる。
【００２８】
本システムを構成するこれらの装置について、以下、機能ブロック図を用いて詳細に説明する。
【００２９】
図２は、健康増進支援システムを構成する各装置の機能ブロック図である。
【００３０】
図２に示すように、ユーザ端末装置１０は、装置の各部を制御する制御部１１と、活動量計測装置２０等から出力される活動量情報等を取得する入力インターフェース部１２と、ユーザからの個人情報等の入力を受け付ける入力部１３と、サーバ装置５０と通信を行なうためのネットワーク通信部１４と、寄付金額の報告等の情報を表示するための表示部１５とを備える。
【００３１】
制御部１１は、ユーザ端末装置１０に内蔵されているＣＰＵやメモリ等であり、ネットワーク通信部１４に電子メールの送信指示を出力する等、ユーザ端末装置１０を構成する各部を制御する処理部である。
【００３２】
入力インターフェース部１２は、活動量計測装置２０から活動量情報を、または、生体情報検出装置３０から生体情報をユーザ端末装置１０内に取得するためのインターフェースであり、例えば、ＵＳＢ（Ｕｎｉｖｅｒｓａｌ  Ｓｅｒｉａｌ  Ｂｕｓ）等のあらゆるデータ通信規格のインターフェースを用いることができる。この入力インターフェース部１２は、データ転送用のケーブルを介してユーザ端末装置１０と活動量計測装置２０等とを接続する形態としてもよいし、直接ユーザ端末装置１０と活動量計測装置２０等とを嵌め合わせる形態としてもよい。
【００３３】
入力部１３は、ユーザのプロフィール情報等の入力を受け付ける入力装置であり、例えば、携帯電話機のキーボタンや、パーソナルコンピュータのキーボードやマウス等によって実現される。
【００３４】
ネットワーク通信部１４は、ネットワーク通信網４０を介してサーバ装置５０と通信するための通信インターフェースであり、例えば、モデムやＬＡＮポート等によって実現される。
【００３５】
表示部１５は、ユーザにユーザ端末装置１０が受信した情報等を示すための表示装置であり、例えば、ＣＲＴディスプレイや液晶ディスプレイ等によって実現される。
【００３６】
次に、活動量計測装置２０は、装置の各部を制御する制御部２１と、ユーザの活動量を計測する活動量計測部２２と、活動量情報をユーザ端末装置１０に出力する出力インターフェース部２３とを備える。
【００３７】
制御部２１は、活動量計測装置２０に内蔵されているＣＰＵやメモリ等であり、活動量計測部２２に計測指示を出力する等、活動量計測装置２０を構成する各部を制御する処理部である。
【００３８】
活動量計測部２２は、ユーザの活動量、例えば歩数や心拍数等を計測する処理部であり、センサおよびカウンタ等によって実現される。
【００３９】
出力インターフェース部２３は、活動量計測部２２が計測した活動量を活動量情報としてユーザ端末装置１０に出力するためのインターフェースであり、入力インターフェース１２と同様に、あらゆるデータ通信規格のインターフェースを用いることができる。
【００４０】
続いて、生体情報検出装置３０は、装置の各部を制御する制御部３１と、ユーザの生体の状態を検出する生体状態検出部３２と、生体情報をユーザ端末装置１０に出力する出力インターフェース３３とを備える。
【００４１】
制御部３１は、生体情報検出装置３０に内蔵されているＣＰＵやメモリ等であり、生体状態検出部３３に検出指示を出力する等、生体情報検出装置３０を構成する各部を制御する処理部である。
【００４２】
生体状態検出部３２は、ユーザの生体の状態、例えば血圧や血糖値等を検出する処理部であり、センサ等によって実現される。
【００４３】
出力インターフェース部３３は、生体状態検出部３２が検出した生体の状態を生体情報としてユーザ端末装置１０に出力するためのインターフェースであり、上記活動量計測装置２０と同じく、あらゆるデータ通信規格のインターフェースを用いることができる。
【００４４】
そして、サーバ装置５０は、装置の各部を制御するとともに、ユーザの健康状態を判定したり、その判定結果に基づいて寄付金を算出したりする制御部５１と、ユーザの個人情報を格納する個人情報格納部５６と、Ｗｅｂイベントに関する情報を格納するイベント情報格納部５７と、ユーザに対する生活改善のための助言となるアドバイス文を格納するアドバイス文格納部５８と、ユーザ端末装置１０と通信を行なうためのネットワーク通信部５９とを備える。
【００４５】
制御部５１は、サーバ装置５０に内蔵されているＣＰＵやメモリ等であり、装置の各部を制御するとともに、ユーザの健康状態を判定し、その判定結果に基づいて寄付金を算出する処理部であり、さらに、健康状態判定部５２と、ポイント換算部５３と、寄付金算出部５４と、メッセージ生成部５５とを備える。
【００４６】
健康状態判定部５２は、ユーザ端末装置１０から取得した健康情報を所定の条件式にあてはめて、ユーザの健康状態を判定する処理部である。ここで、所定の条件式とは、年令別に分けられた１日当たりの適切歩数との差異や、全体重の５％以上の体重減少を危険とする等の判定基準であり、この判定基準は、例えば、サーバ装置５０にインストールされているプログラムに格納されている。そして、この健康状態判定部５２において判定されたユーザの健康状態は、判定結果としてメッセージ生成部５５に出力される。
【００４７】
ポイント換算部５３は、ユーザ端末装置１０から取得した健康情報を所定の換算式にあてはめて、ユーザの寄付への貢献度を示すポイントに換算する処理部である。ここで、所定の換算式とは、１００の歩数を１ポイントとする等の換算基準であり、ポイント換算部５３においてこの換算式に基づき換算されたポイントは、ポイント情報として寄付金算出部５４とメッセージ生成部５５とに出力される。
【００４８】
寄付金算出部５４は、ポイント情報を取得し、換算されたポイントを所定の計算式にあてはめ、寄付金の額を算出する処理部である。ここで、所定の計算式とは、１０ポイントを１円として計算する等の計算基準であり、寄付金の集まり具合やＷｅｂイベントの参加者数等に応じて更新可能とされ、寄付金算出部５４においてこの計算式に基づき算出された寄付金は、寄付金情報としてメッセージ生成部５５に出力される。
【００４９】
メッセージ生成部５５は、健康状態判定部５２から出力される判定結果に適したアドバイス文をアドバイス文格納部５８から読み出して健康アドバイス情報とし、この健康アドバイス情報を、ユーザ端末装置１０に送信するための電子メール文やユーザ端末装置１０のブラウザに表示させるためのＷｅｂページに加工する処理部である。また、このメッセージ生成部５５は、ポイント換算部５３から出力されるポイント情報や、寄付金算出部５４から出力される寄付金情報を取得し、これらの情報を電子メール文やＷｅｂページに加工する処理も行なう。
【００５０】
個人情報格納部５６は、ユーザの個人情報を格納するためのハードディスク等の記憶装置である。この個人情報格納部５６については、図を用いて後に詳しく説明する。
【００５１】
イベント情報格納部５７は、Ｗｅｂイベントの情報を格納するためのハードディスク等の記憶装置である。このイベント情報格納部５７についても、図を用いて後に詳しく説明する。
【００５２】
アドバイス文格納部５８は、アドバイス文を格納するためのハードディスク等の記憶装置である。このアドバイス文格納部５８についても、図を用いて後に詳しく説明する。
【００５３】
ネットワーク通信部５９は、ネットワーク通信網４０を介してユーザ端末装置１０と通信するための通信インターフェースであり、例えば、モデムやＬＡＮポート等によって実現される。
【００５４】
ここで、個人情報格納部５６について、図３を用いて説明する。
【００５５】
図３は、個人情報格納部５６に格納されている情報を説明するための図である。
【００５６】
図３に示すように、この個人情報格納部５６には、個人情報や活動情報を記述するための個人情報テーブル５６０がユーザ毎に格納されている。
【００５７】
個人情報テーブル５６０は、ユーザの氏名や年令等の個人情報を記述するためのユーザプロフィール記述部５６１や、ユーザの活動量や生体の状態の履歴を記述するための活動情報記述部５６２等から構成されている。この個人情報テーブル５６０は、例えば、サーバ装置５０が、ユーザ端末装置１０から送信されるユーザのＷｅｂイベントへの参加登録申請情報（イベントエントリ）を受信した時に、イベントエントリに含まれる情報に基づき、制御部５１において生成される。
【００５８】
ここで、イベントエントリに含まれる情報としては、ユーザ氏名、性別、年令、健康アドバイス情報等を送信する際の宛先となるメールアドレス、身長、Ｗｅｂイベントへ参加する際のユーザの登録時体重、ユーザが参加を希望するＷｅｂイベントのＩＤや名称等があり、これらの情報はユーザプロフィール記述部５６１に記述される。また、サーバ装置５０のイベントエントリ受信時に、ユーザを識別するためのユーザＩＤが制御部５１においてユーザ毎に割り当てられ、このユーザＩＤの情報がユーザプロフィール記述部５６１に記述される。
【００５９】
一方、活動情報記述部５６２には、主に、ユーザ端末装置１０から定期的に送信される健康情報が記述される。すなわち、ユーザ端末装置１０から健康情報の入力を受け付けた入力日時や、ユーザ端末装置１０が生体情報検出装置３０から取得した体重、ユーザ端末装置１０が活動量計測装置２０から取得した歩数等が記述される。また、この活動情報記述部５６２には、この他、ポイント換算部５３において換算されたポイント、このポイントを所定期間累積させた累積ポイントや寄付金算出部５４において算出された寄付金等が記述される。なお、この活動情報記述部５６２に記述される情報は、ユーザによる過去の活動状況の照会を可能とするため、相当の期間分（例えば、３ヶ月分等）が蓄積されることとし、相当の期間が経過した後は、格納領域の節減のため順次廃棄されるとするのが望ましい。
【００６０】
次に、イベント情報格納部５７について、図４を用いて説明する。
図４は、イベント情報格納部５７に格納されている情報を説明するための図である。
【００６１】
図４に示すように、このイベント情報格納部５７には、Ｗｅｂイベントに関する情報、Ｗｅｂイベントのスポンサーに関する情報およびＷｅｂイベントの寄付先に関する情報を記述するためのイベント情報テーブル５７０がＷｅｂイベント毎に格納されている。
【００６２】
イベント情報テーブル５７０は、Ｗｅｂイベントの名称や開催期間等のＷｅｂイベントに関する情報を記述するためのイベント情報記述部５７１、スポンサー名称等のＷｅｂイベントのスポンサーに関する情報を記述するためのスポンサー情報記述部５７２および寄付先名称等のＷｅｂイベントの寄付先に関する情報を記述するための寄付先情報記述部５７３等から構成されている。
【００６３】
イベント情報記述部５７１に記述されるＷｅｂイベントに関する情報としては、例えば、イベント名称、Ｗｅｂイベントの開催期間を示すイベント期間、ユーザ端末装置１０から健康情報を取得する日時や頻度を示す情報収集日、ポイントを集計して寄付金を算出する日時を示す、すなわち上述したポイントを累積させる所定期間を示す集計日、Ｗｅｂイベントへの参加者数を示す参加人数、上記ポイント換算部５３における所定の換算式を示すポイント換算率および上記寄付金算出部５４における所定の計算式を示す寄付換算率等がある。また、サーバ装置５０でイベント情報テーブル５７０が生成される際に、Ｗｅｂイベントの種類を識別するためのイベントＩＤが制御部５１においてＷｅｂイベント毎に割り当てられ、このイベントＩＤの情報がイベント情報記述部５７１に記述される。
【００６４】
スポンサー情報記述部５７２に記述されるスポンサーに関する情報としては、例えば、Ｗｅｂイベントのスポンサーとなる企業等の名称を示すスポンサー名称や、そのスポンサーのＷｅｂページのアドレスを示すＵＲＬ、スポンサーを紹介するスポンサー紹介文等があり、寄付先情報記述部５７３に記述される寄付先に関する情報としては、例えば、スポンサーからの寄付金の提供を受けるＷｅｂイベントの寄付先団体等の名称を示す寄付先名称や、その寄付先のＷｅｂページのアドレスを示すＵＲＬ、寄付先団体の活動内容等がある。
【００６５】
さらに、アドバイス文格納部５８について、図５を用いて説明する。
図５は、アドバイス文格納部５８に格納されている情報を説明するための図である。
【００６６】
図５に示すように、このアドバイス文格納部５８には、アドバイス文を記述するためのアドバイス文テーブル５８ａ〜５８ｃが複数格納されている。
【００６７】
このアドバイス文テーブル５８ａ〜５８ｃには、夫々健康状態判定部５２から出力される判定結果に適したアドバイス文が記述されている。ここで、判定結果に適したアドバイス文について具体的に説明すると、例えば、ユーザの歩数が急激に増加したり、体重の減り方が過度であったりすればユーザに注意を促す文章とし、例えば、ユーザの歩数がイベント参加ユーザ平均歩数より大きく下回っていると、ユーザに生活習慣改善を励行する文章とする等である。
【００６８】
また、アドバイス文は、同一文章のアドバイス文が連続しユーザがマンネリズムに陥ることを避けるため、例えば、同様の健康状態であっても時期毎に異なるようにするのが好ましい。
【００６９】
従って、アドバイス文テーブル５８ａに、良好な判定結果である場合のアドバイス文を時系列に複数記述することとすれば、アドバイス文テーブル５８ｂには、悪い判定結果である場合のアドバイス文を時系列に複数記述することとするように、ユーザの健康状態の良し悪しを複数のクラスに分けて、そのクラス毎にテーブルを作成し、夫々のクラスに適したアドバイス文を時系列に記述するのが好適である。
【００７０】
なお、夫々のアドバイス文に、どのクラスに適したアドバイス文で、クラス内で何番目のアドバイス文であるかを識別するためのアドバイス文ＩＤを付して、このアドバイス文ＩＤを、アドバイス文とリンクさせてアドバイス文テーブル５８ａ〜５８ｃに記述することとして、サーバ装置５０におけるアドバイス文のサーチ負荷を軽減させると、より好ましい。
【００７１】
さらに、アドバイス文テーブル５８ａ〜５８ｃは、健康状態の良否のみならず、ユーザの年令層毎（例えば２０歳代向け、５０歳代向け等）に作成したり、Ｗｅｂイベント毎に複数作成したりしてもよい。
【００７２】
このような構成を備える各装置から構成される健康増進支援システムにおける処理手順について、以下説明する。なお、ここで、各情報の送受信は電子メールによってなされるものとする。
【００７３】
図６は、健康増進支援システムにおける処理手順を示すシーケンス図である。
【００７４】
まず、ユーザ端末装置１０は、ユーザのＷｅｂイベントへの参加登録を行なうために、入力部１３を介してユーザからユーザ氏名や身長等のユーザプロフィール情報の入力を受け付ける（Ｓ１０）。このとき、ユーザ端末装置１０は、ユーザプロフィール情報の入力と併せて、Ｗｅｂイベント参加時におけるユーザの体重等の生体情報を生体情報検出装置３０から取得する。
【００７５】
そして、ユーザ端末装置１０は、表示部１５を介して送信するデータの内容を表示してユーザに知らせた上で、ユーザからの送信指示を入力部１３を介して取得し、この指示に基づいて、ユーザのＷｅｂイベントへの参加登録申請情報、すなわちイベントエントリに、ユーザプロフィール情報と取得した生体情報とを含めて、サーバ装置５０に送信する（Ｓ１１）。なお、このイベントエントリには、Ｗｅｂイベントのイベント名称等が含まれている。
【００７６】
サーバ装置５０は、ユーザ端末装置１０からイベントエントリを受信すると、個人情報テーブル５６０を作成し（Ｓ１２）、イベントエントリに含まれるユーザプロフィール情報等を個人情報テーブル５６０に記述する。また、サーバ装置５０は、ユーザＩＤを発行して個人情報テーブル５６０に記述し、ユーザにユーザＩＤとＷｅｂイベントへの参加登録の完了とを知らせる情報を含むエントリ受付をユーザ端末装置１０に送信する（Ｓ１３）。
【００７７】
このようにして、本システムにおけるユーザのＷｅｂイベントへの参加を受け付ける初期登録が完了する。
【００７８】
次に、ユーザ端末装置１０は、Ｗｅｂイベント毎に定められた所定期日Ｄ１に、活動量計測装置２０や生体情報検出装置３０から健康情報を取得し（Ｓ２０）、健康情報とユーザＩＤとをサーバ装置５０に送信する（Ｓ２１）。なお、この所定期日Ｄ１とは、先に述べたイベント情報テーブル５７０に記述されている情報収集日のうち、本システムへの初期登録を完了した後、最初に迎える日である。すなわち、初期登録日が土曜日で、情報収集日が毎週月曜日とされるＷｅｂイベントにおいては、初期登録日の翌々日の月曜日が所定期日Ｄ１となる。
【００７９】
続いて、サーバ装置５０は、ユーザ端末装置１０から送信される健康情報とユーザＩＤとを受信すると、ユーザＩＤをキーとして、個人情報格納部５６に格納されている該当ユーザの個人情報テーブル５６０を参照し、健康情報を所定の条件式に当てはめてユーザの健康状態を判定する（Ｓ２２）。また、同じように該当ユーザの個人情報テーブル５６０を参照し、健康情報を所定の換算式に当てはめてポイント換算を行なう（Ｓ２３）。このとき、サーバ装置５０は、判定した健康状態に適したアドバイス文をアドバイス文格納部５８から読み出して健康アドバイス情報を作成し、また、換算したポイントからポイント情報を作成し、これらの情報を電子メール文に加工してユーザ端末装置１０に送信する（Ｓ２４）。
【００８０】
ユーザ端末装置１０とサーバ装置５０は、このような処理動作（Ｓ２０〜Ｓ２４）を所定期日Ｄ１、Ｄ２、Ｄ３と所定期日毎に繰り返し、所定期日Ｄｎに以下のような処理動作を行なう。なお、この所定期日Ｄｎとは、先に述べたイベント情報テーブル５７０に記述されている集計日のことである。
【００８１】
サーバ装置５０は、所定期日Ｄｎに、上記Ｓ２０〜Ｓ２４までの処理動作後、Ｄ１〜Ｄｎまでの累積ポイントを所定の計算式に当てはめて寄付金を算出する（Ｓ３０）。また、サーバ装置５０は、ユーザの累積ポイントや寄付金に基づいて、Ｗｅｂイベントにおけるユーザの順位付けをしてランキング評価を行なう（Ｓ３１）。そして、サーバ装置５０は、算出した寄付金から寄付金情報を作成し、また、ランキング評価に基づいて割り出したユーザの順位やランキング表等のランキング情報を作成し、これらの情報をユーザ端末装置１０に送信する（Ｓ３２）。
【００８２】
このように、所定期日Ｄ１〜Ｄｎを１つのサイクルとして、ユーザ端末装置１０とサーバ装置５０とは、Ｗｅｂイベントの開催期間が終了するまで、このサイクルで処理動作を繰り返す。
【００８３】
ここで、サーバ装置５０側の処理動作を、図７を用いてより詳しく説明する。
【００８４】
図７は、サーバ装置５０における処理手順を示すフロー図である。
【００８５】
まず、サーバ装置５０は、ネットワーク通信部５９を介してユーザ端末装置１０から健康情報を含む電子メールを受信する（Ｓ４０）。
【００８６】
ここで、サーバ装置５０は、制御部５１において、電子メールに含まれるユーザＩＤをキーとして該当するユーザの個人情報テーブル５６０を参照して、参加イベントＩＤを読み出す。そして、この参加イベントＩＤを参照して、該当するＷｅｂイベントのイベント情報テーブル５７０を参照し、健康情報を受信した日が情報収集日、すなわち所定期日Ｄであるか否かを判断する（Ｓ４１）。このとき、健康情報を受信した日が、所定期日Ｄでない場合またはその当日に既に健康情報を受信している場合等は、サーバ装置５０は、制御部５１において「情報受付日ではない」または「情報受付済」等をユーザに知らせるための受付エラー情報を生成し、ネットワーク通信部５９を介してユーザ端末装置１０に送信して（Ｓ４２）、処理動作を完了する。
【００８７】
一方、所定期日Ｄである場合、サーバ装置５０は、健康状態判定部５２において健康情報を所定の条件式に当てはめてユーザの健康状態を判定する（Ｓ４３）。すなわち、取得した健康情報に含まれる活動量情報を歩数とすれば、健康状態判定部５２は、この歩数がユーザの年令に応じた１日当たりの適切歩数よりも多いか少ないかを判定する。
【００８８】
また、取得した健康情報に含まれる生体情報を体重とすれば、健康状態判定部５２は、この体重と前回取得した体重との差異が適切な範囲内にあるか否かを判定する。もしくは、ユーザの身長や年令等から理想体重を算出し、この理想体重に近づいたか遠くなったかを判定したり、現体重と理想体重とから肥満率を割り出し、この肥満率の増減を判定したりすることとしてもよい。このようにして、健康状態判定部５２は、ユーザの健康状態を判定し、その判定結果をメッセージ生成部５５に出力するとともに、個人情報テーブル５６０の活動情報記述部５６２に入力日時等の情報を記述する。なお、この判定結果に、メッセージ生成部５５が読み出すべきアドバイス文のアドバイス文ＩＤを含めることとしてもよい。
【００８９】
また、この健康状態の判定処理前もしくは処理後またはこの処理と並行して、サーバ装置５０は、該当ユーザの個人情報テーブル５６０を参照し、ポイント換算部５３において健康情報を所定の換算式に当てはめてポイント換算を行なう（Ｓ４４）。すなわち、取得した健康情報に含まれる活動量情報を歩数とすれば、ポイント換算部５３は、１００の歩数を１ポイントに換算する。また、取得した健康情報に含まれる生体情報を肥満率とすれば、ポイント換算部５３は、肥満率１％の減少を１ポイントに換算する。このようにして、ポイント換算部５３は、ユーザの日常活動の成果を寄付への貢献度を示すポイントに換算し、その換算結果をポイント情報として、寄付金算出部５４とメッセージ生成部５５とに出力するとともに、個人情報テーブル５６０の活動情報記述部５６２にポイントや累積ポイントの情報を記述する。
【００９０】
続いて、メッセージ生成部５５は、健康状態判定部５２から取得した判定結果に基づいて、アドバイス文をアドバイス文格納部５８から読み出し、健康アドバイス情報を生成する（Ｓ４５）。すなわち、メッセージ生成部５５は、判定結果に記述されているアドバイス文ＩＤをキーとして、アドバイス文格納部５８に格納されているアドバイス文テーブル５８ａ〜５８ｃ中のアドバイス文を読み出して健康アドバイス情報を生成し、電子メール文に加工する。
【００９１】
ここで、サーバ装置５０は、制御部５１において、イベント情報テーブル５７０を参照し、上記所定期日Ｄが所定期日Ｄｎ、すなわち、Ｗｅｂイベントの集計日に該当するか否かを判断する（Ｓ４６）。所定期日Ｄが所定期日Ｄｎでない場合、サーバ装置５０は、メッセージ生成部５５において、ポイント換算部５３から取得したポイント情報を電子メール文に加工し、ネットワーク通信部５９を介してポイント情報と健康アドバイス情報とを含む電子メールをユーザ端末装置１０に送信する（Ｓ４７）。その後、サーバ装置５０は、所定期日Ｄｎまで、Ｓ４０〜Ｓ４７までの処理動作を繰り返す。
【００９２】
一方、所定期日Ｄが所定期日Ｄｎである場合、サーバ装置５０は、寄付金算出部５４において、個人情報格納部５６に格納されている個人情報テーブル５６０を参照して累積ポイントを読み出し、この累積ポイント情報とポイント換算部５３から取得したポイント情報とを合算し、ポイントの累積集計を行なう（Ｓ４８）。続いて、寄付金算出部５４は、ポイント累積集計で得られた値を所定の計算式に当てはめて寄付金算出を行ない（Ｓ４９）、その集計結果を累積ポイント情報とし、その算出結果を寄付金情報として（これら２つを合せて「集計結果情報」という。）、メッセージ生成部５５に出力するとともに、個人情報テーブル５６０の活動情報記述部５６２に寄付金の情報を記述する。
【００９３】
その後、サーバ装置５０は、メッセージ生成部５５において、寄付金算出部５４から取得した集計結果情報を電子メール文に加工し、ネットワーク通信部５９を介して集計結果情報と健康アドバイス情報とを含む電子メールをユーザ端末装置１０に送信して（Ｓ５０）、処理動作を完了する。
【００９４】
なお、Ｗｅｂイベントの開催が続く限り、この一連の処理動作（Ｓ４０〜Ｓ５０）をサーバ装置５０は繰り返すことになる。
【００９５】
ところで、これまでにユーザの年令に応じてアドバイス文テーブルを用意したり、健康状態判定部５２における所定の条件式について年令別に分けた条件式を用いたりすることに言及しているが、ポイント換算処理においても年令別の換算式を用いる等してポイントを特別に換算することとしてもよい。このような処理を行なう場合のサーバ装置の処理手順について、図を用いて説明することとする。
【００９６】
図８は、サーバ装置５０における寄付金を決定する処理手順を示すフロー図である。
まず、サーバ装置５０は、ネットワーク通信部５９を介して活動量情報または生体情報を含む電子メールを取得すると（Ｓ７０）、先に述べたように、制御部５１において、ユーザＩＤをキーとして該当するユーザの個人情報テーブル５６０を参照し、ユーザの年令情報を取得する。
【００９７】
ここで、制御部５１に含まれるポイント換算部５３は、取得したユーザの年令情報に基づいて、ポイント特別換算の対象年令であるか否かを判断する（Ｓ７１）。ここで、ポイント特別換算とは、例えば、６０歳以上の高齢ユーザの歩数を、６０歳未満のユーザの換算式よりも優遇すること等をいう。
【００９８】
このとき、ポイント特別換算の対象年令であれば、ポイント換算部５３は、ポイント特別換算式を適用してポイントを換算する（Ｓ７２）。具体的には、通常の換算式を１００歩＝１ポイントとすれば、６０歩＝１ポイントとする等の特別換算式を適用して、活動量情報または生体情報をポイントに換算する。
【００９９】
一方、ポイント特別換算の対象年令でなければ、ポイント換算部５３は、通常のポイント換算式、上記の例でいえば、１００歩＝１ポイントとする換算式を適用して、活動量情報または生体情報をポイントに換算する（Ｓ７３）。
【０１００】
この段階で、ポイント換算部５３から寄付金算出部５４およびメッセージ生成部５５にポイント情報を出力することとしてもよいが、年令以外の要素でも特別換算式を適用することを想定して、さらに説明を続ける。
【０１０１】
次に、ポイント換算部５３は、サーバ装置５０がユーザ端末装置１０から健康情報を含む電子メールを受信した際の日付が、ポイント特別換算の対象日であるか否かを判断する（Ｓ７４）。ここで、ポイント特別換算の対象日とは、例えば、ユーザの生年月日や体育の日等で、通常の換算式よりも優遇された換算式を適用する日のことである。ここでは、このポイント特別換算の対象日は、Ｗｅｂイベント毎に自由に設定されて、イベント情報テーブル５７０に記述されるものとし、ポイント換算部５３がイベント情報テーブル５７０を参照して、電子メールの受信日が該当するか否かを判断することとする。
【０１０２】
このとき、ポイント特別換算の対象日であれば、ポイント換算部５３は、上記求めたポイントに、さらにポイント特別換算式を適用してポイントを換算して（Ｓ７５）、寄付金算出部５４およびメッセージ生成部５５にポイント情報を出力する。
【０１０３】
一方、ポイント特別換算の対象日でなければ、ポイント換算部５３は、上記求めたポイントをそのままポイント情報として寄付金算出部５４およびメッセージ生成部５５に出力する。
【０１０４】
その後、寄付金算出部５４は、ポイント換算部５３において、上記のように換算されたポイントを所定の寄付金計算式にあてはめて、寄付金を算出し（Ｓ７６）、寄付先団体等に提供する寄付金を決定する（Ｓ７７）。
【０１０５】
このように、ポイントの特別換算ルールを定めておき、これに従ってポイント換算処理をすることで、ユーザに生活習慣の改善を促すための刺激を与えることができる。
【０１０６】
ここまで、サーバ装置５０の処理動作を中心に説明したが、以下に、サーバ装置５０から送信される情報のユーザ端末装置１０における画面表示例について図９および図１０を用いて説明する。
【０１０７】
図９は、ユーザ端末装置１０の第１の画面表示例を示す図であり、図１０は、ユーザ端末装置１０の第２の画面表示例を示す図である。
【０１０８】
図９に示すように、ユーザ端末装置１０の表示部１５に該当する携帯電話機の液晶ディスプレイには、サーバ装置５０からの電子メールによる集計結果報告が表示される。
【０１０９】
第１画面例１００は、サーバ装置５０からの集計結果報告のトップページを示している。すなわち、Ｗｅｂイベントの名称やユーザ氏名、獲得ポイント数、寄付金額の報告、そしてアドバイス文等が表示されている。
【０１１０】
ここで、第１画面例１００の表示に従って、ユーザ端末装置１０の入力部１３に該当する携帯電話機の”▲１▼”のキーを押すと、ユーザの体重の推移を示す体重グラフを表示する第２画面例１０１に切り替わる。一方、携帯電話機の”▲２▼”のキーを押すと、ユーザの日別歩数をグラフ化した歩数グラフを表示する第３画面例１０２に切り替わり、また、携帯電話機の”▲３▼”のキーを押すと、ユーザのＷｅｂイベントにおける順位を表示する第４画面例１０３に切り替わる。この第２画面例１０１で表示される体重グラフは、例えば、制御部５１が個人情報テーブル５６０の活動情報記述部５６２を参照し、前回の集計日の翌日から今回の集計日までの体重を読み出すことによって生成される。
【０１１１】
また、第３画面例１０２で表示される歩数グラフも、同様に、制御部５１が個人情報テーブル５６０の活動情報記述部５６２を参照して前回の集計日の翌日から今回の集計日までの歩数を読み出すことによって生成される。さらに、第４画面例１０３で表示される順位表は、例えば、制御部５１が、イベントＩＤに基づいて、そのイベントの参加ユーザを個人情報テーブル５６０を参照することで検索し、夫々の参加ユーザに関する個人情報テーブル５６０の活動情報記述部５６２を参照して、所定の要素（例えば、累積ポイント）の数値で順位付けを行なうことによって生成される。
【０１１２】
このように、ユーザ端末装置１０の表示部１５において、自らの健康増進を図る活動の成果をユーザに示すことによって、ユーザに更なる生活習慣の改善の動機付けを与えることができる。また、毎日変化する歩数をグラフ表示し、ユーザが確認できるようにすることで、ユーザにとって生活習慣の改善努力を継続させる励みとなりうる。
【０１１３】
また、図１０に示すように、ユーザ端末装置１０の表示部１５に該当する携帯電話機の液晶ディスプレイには、サーバ装置５０からの電子メールによるＷｅｂイベントの月別結果報告が表示される。
【０１１４】
第５画面例１０４は、サーバ装置５０からの月別結果報告のトップページを示している。すなわち、その月の総歩数および総寄付金額、スポンサー紹介文等が表示されている。この第５画面例１０４で表示される月別結果報告ページは、例えば、上記第１画面例等と同様に、制御部５１が、個人情報テーブル５６０の活動情報記述部５６２を参照して当月の歩数や寄付金額を読み出したり、イベント情報格納部５７０のスポンサー情報記述部５７２に記述されるスポンサー紹介文を読み出したりすることによって生成される。
【０１１５】
ここで、第５画面例１０４の表示に従って、ユーザ端末装置１０の入力部１３に該当する携帯電話機の”▲１▼”のキーを押すと、Ｗｅｂイベントの月別結果に基づくランキングを表示する第６画面例１０５に切り替わり、また、携帯電話機の”▲２▼”のキーを押すと、ＷｅｂイベントのスポンサーのＵＲＬにジャンプする。この第６画面例１０５で表示されるランキング表も、上記第３画面例と同様に、制御部５１が、個人情報テーブル５６０を参照して順位付けを行なうことによって生成される。
【０１１６】
このように、ユーザ端末装置１０の表示部１５において、Ｗｅｂイベントにおける上位ランキングやユーザ本人の順位を示すことによって、ユーザに孤独感を与えずに他のユーザとの一体感を持たせるとともにユーザの競争意識を刺激させて、Ｗｅｂイベントの活動をユーザに楽しませることができるので、ユーザに生活習慣を改善させる強い動機付けとなりうる。
【０１１７】
また、スポンサー紹介文やスポンサー紹介サイトへのリンク情報を示すことによって、効果的にスポンサーとなる企業等のＷｅｂサイトへユーザを誘導させることができるので、スポンサーとなる企業等にとっては、高い宣伝効果を期待することができる。
【０１１８】
このように、本実施の形態１に係る健康増進支援システムによれば、活動量計測装置２０や生体情報検出装置３０によって測定した健康情報をユーザ端末装置１０から送信するだけで、ユーザは手軽に健康情報の管理をすることができる。また、ユーザが健康に配慮して生活習慣の改善の努力をすると、その成果となる活動量や生体情報の良化に応じて、スポンサーから寄付先への寄付金額が決定され、ユーザ個人の寄付への貢献度をユーザに知らせるので、ユーザは、自らの健康増進のための努力の結果が直接的に社会貢献につながることを実感させることができ、生活習慣の改善等を継続的に行なわせしめる強い動機付けを与えることができる。
【０１１９】
さらに、ネットワーク通信回線を通じてオンラインで健康情報を送信するだけで、本システムの利用が可能であるため、ユーザは、時と場所を選ぶことなくＷｅｂイベントの活動をすることができる。そして、ユーザの活動結果に応じたアドバイスをユーザに示すことで、ユーザが寄付金額を増やそうと健康を害する程に過度の活動を抑えるよう忠告したり、より生活習慣改善の努力を励行したりすることができる。なお、ユーザが寄付金額の増加のために過度の活動をすることを防止するために、所定期間における寄付金の上限を設定することとしてもよい。
【０１２０】
一方、スポンサーにとっては、スポンサー紹介文やスポンサー紹介サイトへのリンク情報がユーザに送信する電子メール文に表示されるので、積極的に健康増進活動を行なうユーザに対する宣伝効果を期待することができる。特に、健康保険を取り扱う企業等がスポンサーとなる場合には、保険契約者に対してＷｅｂイベントを提供することによって、企業イメージを高め、解約率の減少を期待することができる他、保険契約者が継続的に健康増進のための努力を行なうことによって、効果的に保険金の支払いリスクを抑えることができるメリットがもたらされる。
【０１２１】
さらに、活動量計測装置２０や生体情報検出装置３０と、ユーザ端末装置１０とを接続して健康情報の送信を行なうので、ユーザは健康情報を手入力する手間が省かれるとともに、ユーザの意図的な健康情報の偽装を防止することができる。また、ユーザ端末装置１０から健康情報をサーバ装置５０に向けて送信するので、サーバ管理者にとっても健康情報を手入力する必要が無く、健康情報の誤入力を防ぐことができ、正確なデータに基づいたサービスを提供することができる。
【０１２２】
（実施の形態２）
次に、本発明の実施の形態２に係る健康増進支援システムについて説明する。
【０１２３】
本実施の形態２に係る健康増進支援システムは、上記実施の形態１に係る健康増進支援システムと、システム構成において略共通しているが、ユーザが、スポンサーや寄付先を選択して自らが参加するＷｅｂイベントを決定することができ、また、寄付する内容が金員に限られず、物品や役務を含めて寄付内容も選択することができる点で、上記実施の形態１と異なる。以下、実施の形態１と異なる点を中心に説明する。なお、実施の形態１と同一の構成要素には同一の符号を付し、その説明を省略する（以下、他の図面についても同様）。
【０１２４】
図１１は、本発明の実施の形態２に係る健康増進支援システムを構成する各装置の機能ブロック図である。
【０１２５】
図１１に示すように、サーバ装置５０ａは、上記実施の形態１におけるサーバ装置と異なり、スポンサー情報格納部６０および寄付先情報格納部６１を備える。
【０１２６】
スポンサー情報格納部６０は、スポンサーに関する情報を格納するためのハードディスク等の記憶装置である。このスポンサー情報格納部６０については、図を用いて後に詳しく説明する。
【０１２７】
寄付先情報格納部６１は、寄付先団体等の寄付先に関する情報を格納するためのハードディスク等の記憶装置である。この寄付先情報格納部６１についても、図を用いて後に詳しく説明する。
【０１２８】
制御部５１ａは、上記実施の形態１に係る制御部５１と略同一の構成とされるが、スポンサー情報格納部６０および寄付先情報格納部６１に格納されている情報を参照する等の機能を有する処理部である。
【０１２９】
ここで、スポンサー情報格納部６０について、図１２を用いて詳しく説明する。
【０１３０】
図１２は、スポンサー情報格納部６０に格納されている情報を説明するための図である。
【０１３１】
図１２に示すように、このスポンサー情報格納部６０には、スポンサーのプロフィール情報やスポンサーが提供する寄付の情報等を記述するためのスポンサー情報テーブル６００がスポンサー毎に格納されている。
【０１３２】
スポンサー情報テーブル６００は、スポンサーの名称等のプロフィール情報を記述するためのスポンサープロフィール記述部６０１や、スポンサーが協賛するＷｅｂイベントやそのＷｅｂイベントに提供する寄付品に関する情報を記述するための寄付提供情報記述部６０２等から構成されている。
【０１３３】
スポンサープロフィール記述部６０１に記述されるプロフィール情報としては、例えば、スポンサー名、スポンサーが協賛しているＷｅｂイベントの数を示す参加イベント数、スポンサーのＷｅｂページのアドレスを示すＵＲＬやスポンサーを紹介するための広告文等がある。また、サーバ装置５０ａでスポンサー情報テーブル６００が生成される際に、スポンサーを識別するためのスポンサーＩＤが制御部５１ａにおいてスポンサー毎に割り当てられ、このスポンサーＩＤの情報がスポンサープロフィール記述部６０１に記述される。
【０１３４】
一方、寄付提供情報記述部６０２に記述されるＷｅｂイベントや寄付品に関する情報としては、例えば、イベントＩＤ、イベント名、寄付品名等があり、寄付品が複数選択可能である場合には、複数のフィールドが設けられる。また、この寄付提供情報記述部６０２は、Ｗｅｂイベント毎に設けられ、スポンサーが複数のＷｅｂイベントに協賛している場合には、複数の寄付提供情報記述部６０２がスポンサー情報テーブル６００に含められる。
【０１３５】
続いて、寄付先情報格納部６１について、図１３を用いて詳しく説明する。
図１３は、寄付先情報格納部６１に格納されている情報を説明するための図である。
【０１３６】
図１３に示すように、この寄付先情報格納部６１には、寄付先のプロフィール情報や寄付される寄付品情報等を記述するための寄付先情報テーブル６１０が寄付先毎に格納されている。
【０１３７】
寄付先情報テーブル６１０は、寄付先団体等の名称等のプロフィール情報を記述するための寄付先プロフィール記述部６１１や、この寄付先団体等に寄付するＷｅｂイベントやそのＷｅｂイベントによって提供される寄付品に関する情報を記述するための寄付受付情報６１２等から構成されている。
【０１３８】
寄付先プロフィール記述部６１１に記述されるプロフィール情報としては、例えば、寄付先名称、寄付先団体等のＷｅｂページのアドレスを示すＵＲＬ等がある。また、サーバ装置５０ａで寄付先情報テーブル６１０が生成される際に、寄付先を識別するための寄付先ＩＤが制御部５１ａにおいて寄付先毎に割り当てられ、この寄付先ＩＤの情報が寄付先プロフィール記述部６１１に記述される。
【０１３９】
一方、寄付受付情報記述部６１２に記述されるＷｅｂイベントや寄付品に関する情報としては、例えば、イベントＩＤ、イベント名、寄付品名等があり、受け付ける寄付品が複数ある場合には、複数のフィールドが設けられる。また、この寄付受付情報記述部６１２は、上記寄付提供情報記述部６０２と同様に、Ｗｅｂイベント毎に設けられ、寄付先団体等が複数のＷｅｂイベントから寄付の提供を受けている場合には、複数の寄付受付情報記述部６１２が寄付先情報テーブル６１０に含められる。
【０１４０】
サーバ装置５０ａがこのような構成を備えることで、ユーザ毎にスポンサーが異なる場合や寄付先が異なる場合がある。このような場合に対応するため、上記実施の形態１において図３に示した個人情報テーブル５６０のユーザプロフィール記述部５６１に、スポンサーＩＤの情報および寄付先ＩＤの情報が記述される。また、ユーザ毎に寄付内容が異なる場合もあるので、スポンサーＩＤの情報および寄付先ＩＤの情報に続くフィールドに寄付品の内容を示す情報が記述される。
【０１４１】
さらに、Ｗｅｂイベントに複数の寄付内容が設定される場合もあるので、これに対応するために、上記実施の形態１において図４に示したイベント情報テーブル５７０のイベント情報記述部５７１に、寄付換算率を示す情報が記述されるフィールドが複数設定される。そして、サーバ装置５０ａがスポンサー情報格納部６０および寄付先情報格納部６１を備えており、スポンサー毎にスポンサーＩＤおよび寄付先毎に寄付先ＩＤが付されているので、上記実施の形態１において図４に示したイベント情報テーブル５７０のスポンサー情報記述部５７２および寄付先情報記述部５７３には、スポンサーＩＤの情報または寄付先ＩＤの情報のみが記述されていればよい。
【０１４２】
このように、イベントＩＤとスポンサーＩＤと寄付先ＩＤとが各々リンクするように、各テーブルに情報を記述することで、Ｗｅｂイベント、スポンサー、寄付先のいずれから選択してもＷｅｂイベントを決定することが可能となる。
【０１４３】
なお、各テーブルに記述される寄付品に関する情報を参照して、寄付内容から選択してＷｅｂイベントを決定することも可能であるが、寄付品の種類が多い場合には、制御部５１ａにおいて寄付品情報テーブルを生成して、寄付品毎に割り当てた寄付品ＩＤをテーブルに記述し、このテーブルを記憶装置に格納しておくのが好ましい。このような構成を追加して、スポンサー情報テーブル６００および寄付先情報テーブル６１０に記述される寄付品情報に寄付品ＩＤを記述することによって、イベントＩＤとスポンサーＩＤと寄付先ＩＤと寄付品ＩＤとを夫々リンクさせることができる。すなわち、サーバ装置５０ａは、寄付品ＩＤをこの寄付品情報テーブルで参照すれば寄付品情報を得ることができ、各テーブルに記述される寄付品に関する情報を参照する負荷を軽減することができる。
【０１４４】
このような構成が追加されたサーバ装置５０ａを備える本実施の形態２に係る健康増進支援システムにおける処理手順について、以下説明する。なお、システム全体の流れやサーバ装置５０ａの基本的な処理手順は上記実施の形態１と略共通するため、異なる点を主に説明することとする。
【０１４５】
まず、ユーザが参加するＷｅｂイベントを決定するための初期登録段階において、サーバ装置５０ａは、制御部５１ａにおいて、ＣＧＩを実装したサーバプログラムを実行し、イベント情報格納部５７、スポンサー情報格納部６０および寄付先情報格納部６１を参照する等して、ユーザ端末装置１０に参加イベントの選択画面を提供し、ユーザ端末装置１０から参加登録申請を受け付ける。
【０１４６】
この参加イベントの選択画面の例を図１４に示す。
【０１４７】
図１４は、ユーザ端末装置１０の第３の画面表示例を示す図である。
【０１４８】
図１４に示すように、ユーザ端末装置１０の表示部１５に該当するパーソナルコンピュータ１０ａのディスプレイには、サーバ装置５０のＷｅｂページが表示されており、ユーザ端末装置１０を介して、このＷｅｂページにアクセスすることで、ユーザはＷｅｂイベントへの参加登録申請を行なう。
【０１４９】
第７画面例１０６は、サーバ装置５０ａのＷｅｂイベントへの参加登録を受け付けるＷｅｂページを示している。この参加登録ページは、寄付先、寄付品、スポンサーまたはＷｅｂイベントのいずれから選択してもユーザが参加するＷｅｂイベントを決定することができるように、夫々の項目に関してプルダウンメニューが設けられている。
【０１５０】
なお、第７画面例１０６では、寄付先から選択して寄付品、スポンサー、Ｗｅｂイベントの順にユーザが参加するＷｅｂイベントが決定されている画面を示しているが、順番はこれに限られるものでなく、例えば、Ｗｅｂイベントから選択して参加するＷｅｂイベントを決定した後に、選択可能な寄付品等を選択することもできる。
【０１５１】
このようにして、サーバ装置５０ａは、ユーザから参加するＷｅｂイベントへの参加登録申請を取得し、個人情報テーブル５６０を生成する等、本システムにおけるユーザのＷｅｂイベントへの参加を受け付ける初期登録を完了させる。
【０１５２】
次に、サーバ装置５０ａがユーザからの健康情報を受信してポイント換算処理等を行なう段階では、サーバ装置５０ａは、寄付金算出部５４において、個人情報テーブル５６０やイベント情報テーブル５７０を参照し所定の計算式を用いて寄付金額または寄付品の個数等を算出する等して、ユーザ端末装置１０にＷｅｂイベントの結果報告画面を提供する。
【０１５３】
ここで、この結果報告画面の例を図１５に示す。
【０１５４】
図１５は、ユーザ端末装置１０の第４の画面表示例を示す図である。
【０１５５】
図１５に示すように、ユーザ端末装置１０の表示部１５に該当するパーソナルコンピュータ１０ａのディスプレイには、サーバ装置５０のＷｅｂページが表示されており、ユーザは、ユーザ端末装置１０を介して、例えばユーザＩＤとパスワードを入力することで、このＷｅｂページにアクセスし、Ｗｅｂイベントの結果報告を閲覧することができる。
【０１５６】
第８画面例１０７は、サーバ装置５０ａのＷｅｂイベントの結果報告を行なうＷｅｂページを示している。この結果報告ページには、例えば、ユーザの当月の総歩数や寄付の結果等を記述する。
【０１５７】
ここで、第８画面例１０７の表示に従って、Ｗｅｂページの”１．上位者発表ページ”をマウスのクリック等で選択すると、Ｗｅｂイベントのランキング上位者を表示する第９画面例１０８を閲覧することができる。さらに、第９画面例１０８の表示に従って、ユーザ端末装置１０の操作を行なうと、ユーザの属する年令層別ランキングを表示するページや前月のランキングを表示するページを閲覧することもできる。これら、第８画面例１０７および第９画面例に表示される結果報告ページおよびランキング上位者発表ページ等は、上記実施の形態１と同様に、制御部５１ａが個人情報格納部５６、イベント情報格納部５７、スポンサー情報格納部６０および寄付先情報格納部６１を参照し、格納されているテーブルを読み込むことによって生成される。
【０１５８】
このように、本実施の形態２に係る健康増進支援システムによれば、ユーザ側で寄付内容やスポンサー、寄付先等の選択を可能とすることでユーザにＷｅｂイベントへの強い関心を持たせることができるので、より一層、ユーザのＷｅｂイベント活動への取り組み、すなわち健康増進のための活動を支援することができる。
【０１５９】
以上、本発明に係る健康増進支援システムについて、各実施の形態に基づいて説明したが、本発明は、これらの実施の形態に限定されるものではない。
【０１６０】
例えば、各実施の形態において、ユーザ端末装置からサーバ装置に送信する情報は、活動量情報と生体情報との両方を送信することとしているが、いずれか一方であってもよい。なお、生活習慣改善の努力を行なっても生体情報の変化に個人差があるので、寄付への貢献度の換算に公平を期するためには、活動量情報を用いることが好ましい。
【０１６１】
また、体重等の生体情報にあっては、日毎の変化量が少ないので、情報を収集する頻度を週１回や隔週１回等とすることもできる。
【０１６２】
さらに、上記各実施の形態では、活動量計測装置として、主に歩数計を用いて説明した。これは、本システムのＷｅｂイベントに万人が参加できるようにしようとすれば、老若男女を問わず容易に始めることができる健康増進のための活動は、ウォーキングであると考えられるからであるが、心拍数から消費エネルギーを算出したり、加速度計を備えて運動量を算出したりする等、その他の活動量を計測するものであってもよいことはいうまでもない。
【０１６３】
さらにまた、ユーザ端末装置と活動量計測装置等とのデータ通信は、例えば、赤外線を用いた無線通信等を用いて行なうこととしてもよく、歩数計機能を内蔵させた携帯電話機のように、ユーザ端末装置内に活動量計測装置の機能を内蔵させてもよい。
【０１６４】
また、上記各実施の形態で説明したＷｅｂイベントのポイント換算基準等の規則は、単なる例示に過ぎず、例えば、ユーザが健康増進活動に関する目標値（例えば、体重１ｋｇ減）を設定し、達成できた場合にボーナスポイントを贈与する換算式を採用する等してもよい。
【０１６５】
さらに、上記各実施の形態で例示したアドバイス文は、テキスト形式で作成された文章を主として説明したが、例えば、音声や静止画像や動画像によるアドバイスであったり、テキスト形式で作成された文章と画像等を組み合わせる形態としたりすることもできる。
【０１６６】
【発明の効果】
以上の説明から明らかなように、本発明に係る健康増進支援システムによれば、ユーザの日常生活の活動情報や生体に関する情報を寄付への貢献度に換算して、その換算結果をユーザに提示するので、ユーザに、日常より少し多めに歩く等の簡単な努力が直接的な慈善活動につながることを実感させ、生活習慣の改善努力を継続的に行なわせしめる強い動機付けを与えることができる。
【０１６７】
また、本システムによれば、従来のイベントのように場所の確保や人件費等のコストをかけることなく、慈善活動を目的としたイベントを開催することができるので、企業等のスポンサーにとっても、効果的な広告宣伝活動を行なうことができる。
【図面の簡単な説明】
【図１】本発明の実施の形態１に係る健康増進支援システムの全体構成を示す図である。
【図２】健康増進支援システムを構成する各装置の機能ブロック図である。
【図３】個人情報格納部に格納されている情報を説明するための図である。
【図４】イベント情報格納部に格納されている情報を説明するための図である。
【図５】アドバイス文格納部に格納されている情報を説明するための図である。
【図６】健康増進支援システムにおける処理手順を示すシーケンス図である。
【図７】サーバ装置における処理手順を示すフロー図である。
【図８】サーバ装置における寄付金を決定する処理手順を示すフロー図である。
【図９】ユーザ端末装置の第１の画面表示例を示す図である。
【図１０】ユーザ端末装置の第２の画面表示例を示す図である。
【図１１】本発明の実施の形態２に係る健康増進支援システムを構成する各装置の機能ブロック図である。
【図１２】スポンサー情報格納部に格納されている情報を説明するための図である。
【図１３】寄付先情報格納部に格納されている情報を説明するための図である。
【図１４】ユーザ端末装置の第３の画面表示例を示す図である。
【図１５】ユーザ端末装置の第４の画面表示例を示す図である。
【図１６】従来技術の保険契約更改システムの全体構成を示す図である。
【符号の説明】
１０    ユーザ端末装置
１０ａ    パーソナルコンピュータ
１１    制御部
１２    入力インターフェース部
１３    入力部
１４    ネットワーク通信部
１５    表示部
２０    活動量計測装置
２１    制御部
２２    活動量計測部
２３    出力インターフェース部
３０    生体情報検出装置
３１    制御部
３２    生体状態検出部
４０    ネットワーク通信網
５０、５０ａ    サーバ装置
５１、５１ａ    制御部
５２    健康状態判定部
５３    ポイント換算部
５４    寄付金算出部
５５    メッセージ生成部
５６    個人情報格納部
５７    イベント情報格納部
５８    アドバイス文格納部
５８ａ〜５８ｃ    アドバイス文テーブル
５９    ネットワーク通信部
６０    スポンサー情報格納部
６１    寄付先情報格納部
１００〜１０８    第１画面例〜第９画面例
５６０    個人情報テーブル
５６１    ユーザプロフィール記述部
５６２    活動情報記述部
５７０    イベント情報テーブル
５７１    イベント情報記述部
５７２    スポンサー情報記述部
５７３    寄付先情報記述部
６００    スポンサー情報テーブル
６０１    スポンサープロフィール記述部
６０２    寄付提供情報記述部
６１０    寄付先情報テーブル
６１１    寄付先プロフィール記述部
６１２    寄付受付情報記述部
９０１    携帯電話機
９０２    基地局
９０３    電話回線網
９０４    ネットワーク
９０５    管理サーバ
９０６    データベース
【図１】
2004318534.tif 000003
【図２】
2004318534.tif 000004
【図３】
2004318534.tif 000005
【図４】
2004318534.tif 000006
【図５】
2004318534.tif 000007
【図６】
2004318534.tif 000008
【図７】
2004318534.tif 000009
【図８】
2004318534.tif 000010
【図９】
2004318534.tif 000011
【図１０】
2004318534.tif 000012
【図１１】
2004318534.tif 000013
【図１２】
2004318534.tif 000014
【図１３】
2004318534.tif 000015
【図１４】
2004318534.tif 000016
【図１５】
2004318534.tif 000017
【図１６】
2004318534.tif 000018